(57)【要約】【課題】主に、導光体の出光部から出た光が導光体へ再入光するのを簡単な構成で防止し得るようにする。【解決手段】光源１５，１６からの光２２を内部へ通す透明な導光体１３，１４と、導光体１３，１４の、出光部２１を覆うケース部材２３とを備えた導光体１３，１４の出光部構造に関する。  ケース部材２３の出光部２１と対向する部分に、出光部２１から出た光２２を、出光部２１から離れる方向へ向けて反射する反射壁部３１を設ける。  反射壁部３１は、出光部２１から出た光２２を、導光体１３，１４の表面側から裏面側へ向かう方向４１へ向けて反射する傾斜面４２を有しても良い。【選択図】図４
2018194714.tif 000002
【特許請求の範囲】
【請求項１】
光源からの光を内部へ通す透明な導光体と、該導光体の出光部を覆うケース部材とを備えた導光体の出光部構造において、
前記ケース部材の前記出光部と対向する部分に、前記出光部から出た光を、前記出光部から離れる方向へ向けて反射する反射壁部を設けたことを特徴とする導光体の出光部構造。
【請求項２】
請求項１に記載の導光体の出光部構造であって、
前記反射壁部は、前記出光部から出た光を、前記導光体の表面側から裏面側へ向かう方向へ向けて反射する傾斜面を有することを特徴とする導光体の出光部構造。
【請求項３】
請求項１または請求項２に記載の導光体の出光部構造であって、
前記反射壁部は、表面に鏡面反射部を有することを特徴とする導光体の出光部構造。
【請求項４】
請求項１ないし請求項３のいずれか１項に記載の導光体の出光部構造であって、
前記ケース部材に、前記反射壁部で反射した光を、前記出光部から離れた位置で拡散可能な拡散部を設けたことを特徴とする導光体の出光部構造。
【発明の詳細な説明】
【技術分野】
【０００１】
この発明は、導光体の出光部構造に関するものである。
【背景技術】
【０００２】
自動車などの車両は、車室内に各種の表示装置や照明装置を備えている。このような表示装置や照明装置には、光源からの光を導く導光体を備えたものが存在している。光源や導光体は、ケース部材に収容される。
【０００３】
例えば、特許文献１は、導光体を用いた点光式表示装置となっている。点光式表示装置は、複数の反射ドットを有する透光性の導光体の側面に光源を配置したものである。そして、光源を点灯することで、光源からの光が、導光体の側面から導光体の内部へ入光し、導光体の内部を導かれる。導光体の内部に導かれた光は、反射ドットで反射すると、導光体の表面側へ出光する。これにより、反射ドットによる図形の表示が可能になる。
【先行技術文献】
【特許文献】
【０００４】
【特許文献１】特開２００２−２９７０７０号公報
【発明の概要】
【発明が解決しようとする課題】
【０００５】
しかしながら、上記特許文献１のものには、導光体の光源を配置した側面とは別の側面などから出た光がケース部材で反射して導光体へ再入光することで、表示や照明に輝度ムラなどが生じるという問題があった。
【０００６】
そこで、本発明は、主に、上記した問題点を解決することを目的としている。
【課題を解決するための手段】
【０００７】
上記課題を解決するために、本発明は、
光源からの光を内部へ通す透明な導光体と、該導光体の出光部を覆うケース部材とを備えた導光体の出光部構造において、
前記ケース部材の前記出光部と対向する部分に、前記出光部から出た光を、前記出光部から離れる方向へ向けて反射する反射壁部を設けたことを特徴とする。
これにより、出光部から出た光は、反射壁部で反射して出光部から離れる方向へ向かうことになる。
【発明の効果】
【０００８】
本発明によれば、上記構成によって、導光体の出光部から出た光が導光体へ再入光するのを簡単な構成で防止することなどができる。
【図面の簡単な説明】
【０００９】
【図１】本実施の形態にかかる導光体の出光部構造を有する表示装置を示す正面図である。
【図２】図１の表示装置部分の拡大図である。
【図３】表示装置の一例としての点光式表示装置を示す図である。
【図４】図３の導光体の出光部構造を示す斜視図である。
【図５】本実施の形態による効果を示すグラフである。
【発明を実施するための形態】
【００１０】
以下、本実施の形態を、図面を用いて詳細に説明する。
図１〜図５は、この実施の形態を説明するためのものである。
【実施例１】
【００１１】
＜構成＞以下、この実施例の構成について説明する。
【００１２】
図１に示すように、自動車などの車両１における車室２の内部に、各種の表示装置３，４や照明装置を設ける。
【００１３】
例えば、車室２の前部に設置したインストルメントパネル５の運転席側の部分に、メータ（計器表示装置）などの表示装置３を設ける。また、運転席に設けられたステアリング６の部分に表示装置４を備えたステアリングスイッチ７を設ける。ステアリングスイッチ７は、ステアリング６に設けた手元操作用のスイッチである。或いは、インストルメントパネル５における運転席と助手席との間の部分に、エアコンやオーディオ装置などを操作するためのスイッチや表示装置を備えた集中パネルを設ける。
【００１４】
そして、これらのうち、例えば、図２に示すステアリングスイッチ７を、図３に示すような点光式表示装置１０にする。点光式表示装置１０は、複数の反射ドット１１，１２を有する透光性の導光体１３，１４の側面に光源１５，１６を配置したものである。
【００１５】
なお、図３では、それぞれ異なる図形を構成する反射ドット１１，１２を有する導光体１３，１４および光源１５，１６を複数組備えて、点灯する光源１５，１６を切り替えることにより、表示を変更できるようにしている。例えば、図２に示すように、光源１５を点灯し光源１６を消灯することで、「＋−」などのような増減を示す表示ができる。反対に、光源１５を消灯し光源１６を点灯することで、上矢印や下矢印などのような上下移動を示す表示ができる。
【００１６】
このような、表示装置３，４や照明装置における、導光体１３，１４の出光部２１の構造（出光部構造）は、図４に示すように、光源１５，１６からの光２２を内部へ通す透明な導光体１３，１４と、導光体１３，１４の出光部２１を覆うケース部材２３，２４とを備えたものとなる。
【００１７】
ここで、導光体１３，１４の出光部２１は、主に、導光体１３，１４の光源１５，１６を設置した縁部（または側面）とは異なる縁部（または側面）などのことである。特に、導光体１３，１４の光源１５，１６を設置した縁部（または側面）とは反対側に位置する縁部（または側面）が主な出光部２１となる。ケース部材２３，２４は、単一部品で構成したものとしても良いし、複数部品で構成したものとしても良い。この場合には、導光体１３，１４の側面部分を覆うケース部材２３（側部ケース）と、導光体１３，１４の底面部分を覆うケース部材２４（底部ケース）とに分けて設けている。このうち、導光体１３，１４の出光部構造は、主に、導光体１３，１４の側面部分を構成するケース部材２３に関係している。
【００１８】
以上のような基本的な構成に対し、この実施例では、以下のような構成を備えるようにしている。
【００１９】
（１）ケース部材２３の、出光部２１と対向する部分に、出光部２１から出た光２２を、出光部２１から離れる方向へ向けて反射する反射壁部３１を設ける。
【００２０】
ここで、導光体１３，１４の出光部２１と対向する部分は、ケース部材２３における、少なくとも導光体１３，１４の延設方向３５（または、面方向）に位置する部分である。但し、出光部２１から出た光２２は、１８０°の範囲を有して拡がる可能性があるため、反射壁部３１は、出光部２１から出た光２２の拡がりに合わせて、出光部２１と対向する部分よりも広めに設定するのが好ましい。また、反射壁部３１には、導光体１３の表面（表示面または上面）を所要量だけ覆う重複部３６を設けて、これを追加の反射壁部３１としても良い。この重複部３６は、導光体１３の周縁部に沿って延設することにより、点光式表示装置１０の縁部などとなって、出光部２１から表面側へ向かう光２２の漏れを防止する。なお、重複部３６は、出光部２１から表面側へ向かう光２２の量に応じて、漏れが少なくなるように重複量を最適に設定する。
【００２１】
反射壁部３１は、出光部２１から出た光２２を受けて、導光体１３，１４へ戻すことなく、最終的に出光部２１から離れる方向へ向けて反射することができれば、どのようなものであっても良い。好ましくは、以下のようにする。
【００２２】
なお、導光体１３，１４は単数であっても、複数であっても良い。導光体１３，１４が単数の場合には、導光体１３，１４へ再入光した光２２が、ケース部材２３，２４の底面（ケース部材２４）などで反射して導光体１３，１４の表面側へ出光することで、輝度ムラの原因になる。また、導光体１３，１４を複数有する場合には、更に、消灯している側の導光体１３，１４へ光２２が再入光して、この導光体１３，１４の反射ドット１１，１２で反射して導光体１３，１４の表面側へ出光することで、疑似点灯現象が生じることになる。
【００２３】
（２）反射壁部３１は、出光部２１から出た光２２を、導光体１３，１４の表面側から裏面側へ向かう方向４１へ向けて反射する傾斜面４２を有しても良い。
【００２４】
ここで、出光部２１から出た光２２は、導光体１３，１４の延設方向３５（または、面方向）に出た光２２を主な対象としている。導光体１３，１４の表面側から裏面側へ向かう方向４１は、導光体１３，１４の厚み方向の裏面側である。傾斜面４２は、側方から見て、導光体１３，１４の延設方向３５に対して３０°〜６０°、好ましくは４５°程度の角度とするのが好ましい。傾斜面４２は、反射壁部３１の一部または全体に設けることができる。
【００２５】
（３）反射壁部３１は、表面に鏡面反射部５１を有しても良い。
【００２６】
ここで、鏡面反射部５１は、表面処理によって設けても良いし、または、反射テープなどの反射部材を貼り付けるようにしても良い。
【００２７】
（４）ケース部材２３に、反射壁部３１で反射した光２２を、出光部２１から離れた位置で拡散可能な拡散部６１を設けても良い。
【００２８】
ここで、出光部２１から離れた位置は、導光体１３，１４の裏面側に位置するケース部材２４よりも更に裏面側となる位置のことである。拡散部６１は、ケース部材２３に設けたケース部材２４よりも深く裏面側へ凹む凹部などとすることができる。凹部は、導光体１３，１４の厚み方向に対する傾斜面４２の設置長さ６５と同程度かそれ以上の深さ６６とするのが好ましい（傾斜面４２の設置長さ６５≦凹部の深さ６６）。
【００２９】
なお、上記した出光部構造は、点光式表示装置１０に限ることなく適用することができる。
【００３０】
＜作用＞以下、この実施例の作用について説明する。
【００３１】
例えば、表示装置４としての点光式表示装置１０は、光源１５，１６を点灯することで、光源１５，１６からの光が、導光体１３，１４の側面（縁部）から導光体１３，１４の内部へ入光し、導光体１３，１４の内部を導かれる。導光体１３，１４の内部に導かれた光は、反射ドット１１，１２で反射すると、導光体１３，１４の表面側へ出光する。これにより、反射ドット１１，１２による図形の表示が可能となる。
【００３２】
また、それぞれ異なる図形を構成する反射ドット１１，１２を有する導光体１３，１４および光源１５，１６を複数組備えて、点灯する光源１５，１６を切り替えることで、表示を変更することができる。
【００３３】
そして、反射ドット１１，１２で反射されなかった光は、例えば、導光体１３，１４の反対側の側面（縁部）やその他の側面（縁部）から導光体１３，１４の外部へ出光する。このように、反射ドット１１，１２で反射されなかった光２２が外部へ出光する導光体１３，１４の側面（縁部）が出光部２１になる。
【００３４】
＜効果＞この実施例によれば、以下のような効果を得ることができる。
【００３５】
（効果１）ケース部材２３の、出光部２１と対向する部分に反射壁部３１を設けた。そして、出光部２１から出た光２２（出光光）を反射壁部３１で出光部２１から離れる方向へ反射するようにした。これにより、出光部２１から出た光２２は、反射壁部３１で反射して出光部２１から離れる方向へ向かうことになる。そのため、簡単な構成で有効に出光部２１から出た光２２が導光体１３，１４へ再入光するのを防止できる。よって、導光体１３，１４を使った表示や照明に輝度ムラが生じるのを防止できる。
【００３６】
反射壁部３１で出光部２１から離れる方向へ反射した光２２（反射光）は、出光部２１から離れた位置にてケース部材２３で拡散される。そして、上記反射壁部３１を設けることにより、ケース部材２３の出光部２１と対向する部分に、低反射加工を施したり、拡散面にしたり、導光体１３，１４の延設方向３５（面方向）に拡がる大きな余剰空間を設けたりする必要をなくすことができる。
【００３７】
（効果２）反射壁部３１は、出光部２１から出た光２２を導光体１３，１４の表面側から裏面側へ向かう方向４１へ向けて反射する傾斜面４２を有しても良い。これにより、出光部２１から出た光２２は、傾斜面４２によって、導光体１３，１４の表面側から裏面側へ向かう方向４１へ確実に反射することになる。よって、導光体１３，１４の延設方向３５に対して最も少ないスペースで、出光部２１から出た光２２を出光部２１から離れた位置へ効率的に導くことができ、出光部２１から出た光２２の導光体１３，１４への再入光をより有効に防止することが可能になる。
【００３８】
（効果３）反射壁部３１は、表面に鏡面反射部５１を有しても良い。これにより、出光部２１から出て反射壁部３１で反射する光２２の反射効率を鏡面反射部５１によって向上することができる。よって、出光部２１から出た光２２を出光部２１から離れた位置へとより効率的に導くことができる。
【００３９】
（効果４）ケース部材２３に、反射壁部３１で反射した光２２を出光部２１から離れた位置で拡散可能な拡散部６１を設けても良い。これにより、反射壁部３１で反射した光２２を、拡散部６１へ導いて拡散部６１で確実に拡散することができる。
【００４０】
そして、図５は、この実施例の効果をまとめたグラフであり、縦軸が輝度、横軸が出光部２１からの距離を表している。このグラフによると、ケース部材２３に設けた重複部３６よりも内側の位置の位置において、実施例の構造（吸光構造）は、何も対策を施していない基本構造のものや、低反射加工（低反射塗装）を施したものよりも反射による輝度の増加（輝度ムラ）を低く抑えることができると共に、余剰空間を設けたもの（クリアランス増）に近い効果が得られることが実際に確認できた。
【符号の説明】
【００４１】
１３    導光体
１４    導光体
１５    光源
１６    光源
２１    出光部
２２    光
２３    ケース部材
２４    ケース部材
３１    反射壁部
４２    傾斜面
５１    鏡面反射部
６１    拡散部
【図１】
2018194714.tif 000003
【図２】
2018194714.tif 000004
【図３】
2018194714.tif 000005
【図４】
2018194714.tif 000006
【図５】
2018194714.tif 000007